(57)【要約】【課題】ティー、マーカー、ゴルフボール等ゴルフ用具の簡易な携帯用ホルダーを提供する。【解決手段】概略Ｕ字又はＣ字状で、両端（２２，２３）がベルトを跨いで相互に接合可能な平板状ホルダー（２０）を少なくとも一部分に有し、この平板状ホルダーの外表面にゴルフ用具が設置可能な係合部（２６，２７）を設けている。ゴルフ用具が設置可能な係合部は、ティー（Ｔ）の胴体部を差し込むことのできるリング状部分（２６）及びマーカー（Ｍ）の少なくとも一部を差し込むことのできる袋状部分（２７）である。【選択図】図２
0003114391.tif 000002
【実用新案登録請求の範囲】
【請求項１】
円筒形ホルダー（１１）であって、ベルトをその中に通すことのできるものにおいて、この円筒形ホルダーの外表面にゴルフ用具が設置可能な係合部（１２，１３）を設けたことを特徴とするゴルフ用具携帯用ホルダー（１０）。
【請求項２】
概略Ｕ字又はＣ字状で、両端（２２，２３）がベルトを跨いで相互に接合可能な平板状ホルダー（２１）を少なくとも一部分に有し、この平板状ホルダーの外表面にゴルフ用具が設置可能な係合部（２６，２７）を設けたことを特徴とするゴルフ用具携帯用ホルダー（２０）。
【請求項３】
衣服への縫い代（５１，６１，７１，８１，９１）を有する平板状ホルダーであって、この平板状ホルダーの外表面にゴルフ用具が設置可能な係合部（５２，５３，６２，７２，７３，８２，９２，９３）を設けたことを特徴とするゴルフ用具携帯用ホルダー（５０，６０，７０，８０，９０）。
【請求項４】
ゴルフ用具が設置可能な係合部が、ティー（Ｔ）の胴体部を差し込むことのできるリング状部分（１２，２６，５２，７２，９２）又は袋状部分を有するものである請求項１ないし３のいずれかに記載のゴルフ用具携帯用ホルダー（１０，２０，５０，７０，９０）。
【請求項５】
ゴルフ用具が設置可能な係合部が、マーカー（Ｍ）の少なくとも一部を差し込むことのできる袋状部分（１３，２７，５３，６２，７３，８２，９３）を有するものである請求項１ないし３のいずれかに記載のゴルフ用具携帯用ホルダー（１０，２０，５０，７０，９０）。
【請求項６】
長方形平坦部分（３１）と、概略Ｃ字状のベルト固定部分（３２）からなる平板状ホルダーであって、前記長方形平坦部分（３１）にはゴルフ用具が設置可能な係合部（３５，３６）が設けられ、前記ベルト固定部分（３２）は両端（４０，４１）がベルトを跨いで相互に接合可能であることを特徴とするゴルフ用具携帯用ホルダー（３０）。
【請求項７】
ゴルフ用具が設置可能な係合部が、中空半球状の２部分（３３，３４）を有し、それらを接合してゴルフボールを収納可能な中空の球（３７）となるようにしたものである請求項６記載のゴルフ用具携帯用ホルダー（３０）。
【請求項８】
中空半球状の２部分（３３，３４）がネットからなる請求項７記載のゴルフ用具携帯用ホルダー（３０）。
【請求項９】
軟質合成樹脂により一体成形された請求項１ないし８のいずれかに記載のゴルフ用具携帯用ホルダー（１０，２０，３０，５０，６０，７０，８０，９０）。
【考案の詳細な説明】
【技術分野】
【０００１】
本考案は、ゴルフ用具携帯用ホルダーに関する。特に、衣服に取り付けて持ち運ぶゴルフ用具（ティー、マーカー、ゴルフボール、等）の携帯用ホルダーに関する。
【背景技術】
【０００２】
ゴルフコースでは、予備のゴルフボール、ティー、マーカー等は、スラックスのポケットに入れたり、ゴルフバッグに入れておく。ゴルフバッグはいつも手元にあるわけではないので、ポケットに入れて身に付けているほうが多いが、ポケットが膨らんでプレーの邪魔になることや、直ぐ取り出せないこともある。また、スカート等の場合、収納スペースが少なく、無理に入れると形を崩してしまうことがある。
【０００３】
この問題に対処するため、ゴルフ用具を衣服に取り付けるというアイデアが出されている。例えば、下記特許文献１及び２では、ベルトのバックル部分に窪みを設けて、そこにマーカーを磁石により取り付けるようにしている。
【特許文献１】米国特許第３１３６５４７号
【特許文献２】米国特許第６１４２３４８号
【考案の開示】
【考案が解決しようとする課題】
【０００４】
マーカーは平板であるので、衣服のどこでも収納しやすい。しかし、ティーやゴルフボールはそのような訳にもいかず、そのようなゴルフ用具のための簡易な携帯用ホルダーがあることが望ましい。本考案は、そのようなゴルフ用具携帯用ホルダーを提供することを目的とする。
【課題を解決するための手段】
【０００５】
本考案のゴルフ用具携帯用ホルダーは、次のような構成を有する。
（１）円筒形ホルダーであって、ベルトをその中に通すことのできるものにおいて、この円筒形ホルダーの外表面にゴルフ用具が設置可能な係合部を設けたことを特徴とするもの。
（２）全体形状が概略Ｕ字又はＣ字状で、両端がベルトを跨いで相互に接合可能な平板状ホルダーであって、この平板状ホルダーの外表面にゴルフ用具が設置可能な係合部を設けたことを特徴とするもの。
（３）長方形平坦部分と、概略Ｃ字状のベルト固定部分からなる平板状ホルダーであって、長方形平坦部分にはゴルフ用具が設置可能な係合部が設けられ、ベルト固定部分は両端がベルトを跨いで相互に接合可能であることを特徴とするもの。
（４）衣服への縫い代を有する平板状ホルダーであって、この平板状ホルダーの外表面にゴルフ用具が設置可能な係合部を設けたことを特徴とするもの。
【考案の効果】
【０００６】
上記（１）（２）（３）の考案によれば、ベルトやベルト通しに対してホルダーが取り付けられるので、携帯や取り出しに便利である。
【０００７】
上記（４）の考案によれば、ベルトのない女性用スカートであっても、縫い代を介してホルダーが取り付けられるので、ゴルフ用具の携帯や取り出しに便利である。
【考案を実施するための最良の形態】
【０００８】
「ゴルフ用具」とは、前記したとおり、少なくともティー、マーカー、ゴルフボールを含むものとする。
【０００９】
「ゴルフ用具が設置可能な係合部」として好ましいのは、次のようなものである。
（１）ティーの胴体部を差し込むことのできるリング状部分又は袋状部分を有するもの。
（２）マーカーの少なくとも一部を差し込むことのできる袋状部分を有するもの。
（３）中空半球状の２部分を有し、それらを接合してゴルフボールを収納可能な中空の球となるようにしたもの。中空半球状の２部分はネットで成形することが好ましい。
【００１０】
本考案のホルダーの素材として最も好ましいのは、ウレタン、シリコン等の軟質合成樹脂である。ゴルフ用具を差し込んだとき、ホルダーと密着しやすく、体を動かしても自然に脱落するようなことはないからである。
【実施例１】
【００１１】
図１は、本考案の第１実施例に係るゴルフ用具携帯用ホルダー１０の斜視図である。
【００１２】
全体は円筒形ホルダー１１であって、ベルト（図示せず）をその中に通すことのできる大きさを有する。この円筒形ホルダーの外表面にゴルフ用具が設置可能な係合部を設けている。
【００１３】
ゴルフ用具が設置可能な係合部は、ティーＴの胴体部を差し込むことのできるリング状部分１２、および、マーカーＭの下半分の円周部を差し込むことのできる袋状部分１３である。
【００１４】
このホルダーは、ウレタンやシリコンなどの軟質合成樹脂で形成するのが好ましい。
【実施例２】
【００１５】
図２は、本考案の第２実施例に係るゴルフ用具携帯用ホルダー２０の斜視図である。
【００１６】
全体は形状が概略Ｃ字状の平板２１で、両端２２，２３がベルトやベルト通し（図示せず）を跨いで相互に接合可能なホルダーである。両端２２，２３を接合するには、一端に孔２４を設け、他端にこの孔２４よりも若干直径の大きな膨らみ２５を設けておき、ベルトやベルト通しを跨いで前記膨らみ２５を前記孔２４にはめ込むことによる。ベルトを跨ぐことにより、ホルダーは少なくともベルト部分においてねじれるが、着用者の動きには全く影響しない程度のものである。
【００１７】
この平板状ホルダーの表面にゴルフ用具が設置可能な係合部を設けている。
【００１８】
ゴルフ用具が設置可能な係合部は、ティーＴの胴体部を差し込むことのできるリング状部分２６、および、マーカーＭの下半分の円周部を差し込むことのできる袋状部分２７である。
【００１９】
このホルダーは、ウレタンやシリコンなどの軟質合成樹脂で形成するのが好ましい。
【実施例３】
【００２０】
図３は、本考案の第３実施例に係るゴルフ用具携帯用ホルダー３０の斜視図である。（ａ）は折り畳み前、（ｂ）は折り畳み後を示す。
【００２１】
全体は、長方形平坦部分３１と、概略Ｃ字状のベルト固定部分３２からなる平板状ホルダーである。
【００２２】
長方形平坦部分３１は２つの部分３３，３４の間で折り畳み可能であり、それぞれの部分に中空半球状の部分３５，３６が設けられている。中空半球状の部分はネット状に形成することが、不使用時にある程度小さくたためるので好ましい。それら中空半球状の部分３５，３６を接合してゴルフボールを収納可能な中空の球状３７とすることができる。折り畳むことのできる前記２部分を折り畳み状体に保持するため、一方に孔３８（ここでは２個）を設け、他方にこの孔３８よりも若干直径の大きな膨らみ３９（ここでは２個）を設けておき、折り畳んだときに前記膨らみ３９を前記孔３８にはめ込むようにする。
【００２３】
概略Ｃ字状のベルト固定部分３２は第２実施例と同様である。この部分は、全体は全体形状が概略Ｃ字状で、両端４０，４１がベルトを跨いで相互に接合可能である。両端４０，４１を接合するには、一端に孔４２を設け、他端にこの孔４２よりも若干直径の大きな膨らみ４３を設けておき、ベルトを跨いで前記膨らみ４３を前記孔４２にはめ込むことによる。ベルトを跨ぐことにより、ホルダーは少なくともベルト部分においてねじれるが、着用者の動きには全く影響しない程度のものである。
【００２４】
このホルダーは、ネット状部分も含め、ウレタンやシリコンなどの軟質合成樹脂で一体形成するのが好ましい。
【実施例４】
【００２５】
図４（ａ）−（ｅ）は、本考案の第４実施例に係るゴルフ用具携帯用ホルダー５０，６０，７０，８０，９０の斜視図である。これは、主として、ベルトのない女性用スカート用のものである。
【００２６】
（ａ）−（ｅ）は、衣服に縫い付けるための縫い代５１，６１，７１，８１，９１を有する袋状のホルダーである。この袋状ホルダーの表面にゴルフ用具が設置可能な係合部を設けている。
【００２７】
（ａ）（ｃ）（ｅ）では、ゴルフ用具が設置可能な係合部は、ティーＴの胴体部を差し込むことのできるリング状部分５２，７２，９２、および、マーカーＭの下半分の円周部を差し込むことのできる袋状部分５３，７３，９３である。（ａ）（ｃ）（ｅ）は、縫い代、マーカー及びティーの取付位置やデザインのの相違である。
【００２８】
（ｂ）（ｄ）では、ゴルフ用具が設置可能な係合部は、マーカーＭの下半分の円周部を差し込むことのできる袋状部分６２，８２である。（ｂ）（ｄ）は、縫い代及びマーカーの取付位置やデザインのの相違である。
【００２９】
このホルダーは、縫い代部分を含め、ウレタンやシリコンなどの軟質合成樹脂で一体形成するのが好ましい。縫い代部分はミシン縫い又は溶着により衣服生地に固定させる。
【００３０】
上記すべての実施例に共通していえることであるが、ホルダーの本体部分には、図柄や彩色を施して美しい装飾物としたり、企業のロゴや商標を付して宣伝広告媒体として用いたりすることができる。
【図面の簡単な説明】
【００３１】
【図１】本考案の第１実施例に係るゴルフ用具携帯用ホルダーの斜視図である。
【図２】本考案の第２実施例に係るゴルフ用具携帯用ホルダーの斜視図である。
【図３】本考案の第３実施例に係るゴルフ用具携帯用ホルダーの斜視図である。
【図４】本考案の第４実施例に係るゴルフ用具携帯用ホルダーの斜視図である。
【符号の説明】
【００３２】
１０，２０，３０，５０，６０，７０，８０，９０   ゴルフ用具携帯用ホルダー
１１   円筒形ホルダー
１２   リング状部分
１３   袋状部分
２１   平板
２４   孔
２６   リング状部分
２７   袋状部分
３１   長方形平坦部分
３２   ベルト固定部分
３７   球状
３８，４２    孔
５２，７２，９２     リング状部分
５３，７３，９３     袋状部分
５１，６１，７１，８１，９１       縫い代
Ｍ     マーカー
Ｔ     ティー
【図１】
0003114391.tif 000003
【図２】
0003114391.tif 000004
【図３】
0003114391.tif 000005
【図４】
0003114391.tif 000006